(57)【要約】【課題】網点画像のプルーフ画像を容易に生成する手法を提供する。【解決手段】プルーフ画像生成装置の固定ディスク１０４には、元画像のデータ７および閾値マトリクス８１が記憶され、３次元ＬＵＴ生成部２１において閾値マトリクス８１を用いてプルーフ用の解像度に変換された元画像が取り得る階調レベルにそれぞれ対応する複数の２値の平網画像が生成される。複数の平網画像はプルーフ用の解像度に合わせてそれぞれ低解像度化されて複数の多階調の平網画像が生成され、複数の多階調画像に基づいて３次元ＬＵＴが生成される。プルーフ画像生成部２２では元画像のプルーフ用単位領域において各画素の２次元座標および階調レベルに基づいて３次元ＬＵＴを参照し、プルーフ画像の各画素の階調レベルが取得される。これにより、元画像を高解像度化して網点画像を生成することなく、多階調のプルーフ画像を容易に生成することができる。【選択図】図４
2005223463.tif 000002
【特許請求の範囲】
【請求項１】
多階調の元画像を表現する網点画像のプルーフ画像を生成するプルーフ画像生成装置であって、
元画像のデータ、および、高解像度化した前記元画像を所定の単位領域毎に網点化する際に使用される閾値マトリクスを記憶する記憶部と、
プルーフ用の解像度に変換された前記元画像の画素が取り得る階調レベルのそれぞれについて、前記閾値マトリクスを用いて均一な階調レベルの前記単位領域の２値の平網画像を生成し、前記２値の平網画像を前記プルーフ用の解像度に合わせて実質的に低解像度化して多階調の平網画像をさらに生成することにより、２次元座標および階調レベルをパラメータとする３次元テーブルを生成する手段と、
前記プルーフ用の解像度に変換された前記元画像の各単位領域において、各画素の２次元座標および階調レベルに基づいて前記３次元テーブルを参照することにより、多階調のプルーフ画像を生成する手段と、
を備えることを特徴とするプルーフ画像生成装置。
【請求項２】
請求項１に記載のプルーフ画像生成装置であって、
前記２値の平網画像がａ行ａ列（ａは２以上の整数）であり、前記２値の平網画像が行方向に（ｎ１／ｍ１）倍（ｎ１，ｍ１は互いに素な自然数、かつ、ｎ１＜ｍ１）、列方向に（ｎ２／ｍ２）倍（ｎ２，ｍ２は互いに素な自然数、かつ、ｎ２＜ｍ２）に低解像度化される際に、
前記３次元テーブルを生成する手段が、
前記２値の平網画像を行方向にｎ１倍、列方向にｎ２倍に拡大し、ａとｍ１との間の最大公約数ｂ１、および、ａとｍ２との間の最大公約数ｂ２をそれぞれ算出し、拡大された平網画像を行方向に（ｍ１／ｂ１）個、列方向に（ｍ２／ｂ２）個ずつ配列した新たな平網画像を生成し、前記新たな平網画像からｍ１行ｍ２列の要素値の代表値を要素値として有する前記多階調の平網画像を生成することを特徴とするプルーフ画像生成装置。
【請求項３】
請求項１または２に記載のプルーフ画像生成装置であって、
前記２値の平網画像が低解像度化される前に、高周波成分が除去されることを特徴とするプルーフ画像生成装置。
【請求項４】
請求項１ないし３のいずれかに記載のプルーフ画像生成装置であって、
前記プルーフ画像を生成する手段により生成されたプルーフ画像にプルーフ用印刷装置に依存した補正を行う補正手段をさらに備えることを特徴とするプルーフ画像生成装置。
【請求項５】
多階調の元画像を表現する網点画像のプルーフ画像を生成するプルーフ画像生成方法であって、
元画像のデータ、および、高解像度化した前記元画像を所定の単位領域毎に網点化する際に使用される閾値マトリクスを準備する工程と、
プルーフ用の解像度に変換された前記元画像の画素が取り得る階調レベルのそれぞれについて、前記閾値マトリクスを用いて均一な階調レベルの前記単位領域の２値の平網画像を生成し、前記２値の平網画像を前記プルーフ用の解像度に合わせて実質的に低解像度化して多階調の平網画像をさらに生成することにより、２次元座標および階調レベルをパラメータとする３次元テーブルを生成する工程と、
前記プルーフ用の解像度に変換された前記元画像の各単位領域において、各画素の２次元座標および階調レベルに基づいて前記３次元テーブルを参照することにより、多階調のプルーフ画像を生成する工程と、
を備えることを特徴とするプルーフ画像生成方法。
【請求項６】
多階調の元画像を表現する網点画像のプルーフ画像をコンピュータに生成させるプログラムであって、前記プログラムのコンピュータによる実行は、前記コンピュータに、
元画像のデータ、および、高解像度化した前記元画像を所定の単位領域毎に網点化する際に使用される閾値マトリクスを準備する工程と、
プルーフ用の解像度に変換された前記元画像の画素が取り得る階調レベルのそれぞれについて、前記閾値マトリクスを用いて均一な階調レベルの前記単位領域の２値の平網画像を生成し、前記２値の平網画像を前記プルーフ用の解像度に合わせて実質的に低解像度化して多階調の平網画像をさらに生成することにより、２次元座標および階調レベルをパラメータとする３次元テーブルを生成する工程と、
前記プルーフ用の解像度に変換された前記元画像の各単位領域において、各画素の２次元座標および階調レベルに基づいて前記３次元テーブルを参照することにより、多階調のプルーフ画像を生成する工程と、
を実行させることを特徴とするプログラム。
【発明の詳細な説明】
【技術分野】
【０００１】
本発明は、多階調の元画像を表現する網点画像のプルーフ画像を生成する技術に関する。
【背景技術】
【０００２】
従来より、多階調の画像を網点化（網掛け処理とも呼ばれる。）して得られる２値の網点画像の印刷物を作成する際には、印刷後の網点画像の色やモアレ等の状態を推測して画像を校正するために、プルーフ用の画像（すなわち、校正に利用される画像であり、以下、「プルーフ画像」という。）が生成され、その印刷物である印刷プルーフが作成される。
【０００３】
印刷プルーフの作成時には、まず、網点化すべき元の画像（以下、「元画像」という。）のデータが網点面積率データに変換され、網点面積率データが２値のビットマップデータに展開されて網点画像が生成される。そして、網点画像の画素数を全体的に減少させつつ多値化して多階調のプルーフ画像が生成され（網点画像から多階調のプルーフ画像を生成する手法として、例えば、特許文献１参照。）、濃度階調方式のカラー印刷装置（連続階調方式とも呼ばれ、ここでは、ディザ法により画素毎の階調を表現するものも含む。）により印刷が行われ、印刷プルーフが作成される。
【０００４】
なお、特許文献２では、元画像の各画素を区分した複数の小区画のそれぞれに対する閾値を準備し、各画素の階調レベルと対応する複数の小区画の閾値との２値比較結果の累計値に応じて各画素に多階調の階調レベルを付与して多階調の網点画像を生成する技術が開示されている。
【特許文献１】米国特許第５，８５４，８８３号明細書
【特許文献２】特開平１１−９８３５６号公報
【発明の開示】
【発明が解決しようとする課題】
【０００５】
ところで、上記印刷プルーフ作成手法では、データ容量の大きい高解像度の網点画像を生成した後にプルーフ画像が生成されるため、多くのメモリ容量を要する煩雑な処理が必要とされ、高価な画像生成装置を利用しなければ処理に長時間を要してしまう。
【０００６】
本発明は上記課題に鑑みなされたものであり、多階調の元画像を表現する網点画像のプルーフ画像を高解像度の網点画像を生成することなく容易に生成する手法を提供することを目的としている。
【課題を解決するための手段】
【０００７】
請求項１に記載の発明は、多階調の元画像を表現する網点画像のプルーフ画像を生成するプルーフ画像生成装置であって、元画像のデータ、および、高解像度化した前記元画像を所定の単位領域毎に網点化する際に使用される閾値マトリクスを記憶する記憶部と、プルーフ用の解像度に変換された前記元画像の画素が取り得る階調レベルのそれぞれについて、前記閾値マトリクスを用いて均一な階調レベルの前記単位領域の２値の平網画像を生成し、前記２値の平網画像を前記プルーフ用の解像度に合わせて実質的に低解像度化して多階調の平網画像をさらに生成することにより、２次元座標および階調レベルをパラメータとする３次元テーブルを生成する手段と、前記プルーフ用の解像度に変換された前記元画像の各単位領域において、各画素の２次元座標および階調レベルに基づいて前記３次元テーブルを参照することにより、多階調のプルーフ画像を生成する手段とを備える。
【０００８】
請求項２に記載の発明は、請求項１に記載のプルーフ画像生成装置であって、前記２値の平網画像がａ行ａ列（ａは２以上の整数）であり、前記２値の平網画像が行方向に（ｎ１／ｍ１）倍（ｎ１，ｍ１は互いに素な自然数、かつ、ｎ１＜ｍ１）、列方向に（ｎ２／ｍ２）倍（ｎ２，ｍ２は互いに素な自然数、かつ、ｎ２＜ｍ２）に低解像度化される際に、前記３次元テーブルを生成する手段が、前記２値の平網画像を行方向にｎ１倍、列方向にｎ２倍に拡大し、ａとｍ１との間の最大公約数ｂ１、および、ａとｍ２との間の最大公約数ｂ２をそれぞれ算出し、拡大された平網画像を行方向に（ｍ１／ｂ１）個、列方向に（ｍ２／ｂ２）個ずつ配列した新たな平網画像を生成し、前記新たな平網画像からｍ１行ｍ２列の要素値の代表値を要素値として有する前記多階調の平網画像を生成する。
【０００９】
請求項３に記載の発明は、請求項１または２に記載のプルーフ画像生成装置であって、前記２値の平網画像が低解像度化される前に、高周波成分が除去される。
【００１０】
請求項４に記載の発明は、請求項１ないし３のいずれかに記載のプルーフ画像生成装置であって、前記プルーフ画像を生成する手段により生成されたプルーフ画像にプルーフ用印刷装置に依存した補正を行う補正手段をさらに備える。
【００１１】
請求項５に記載の発明は、多階調の元画像を表現する網点画像のプルーフ画像を生成するプルーフ画像生成方法であって、元画像のデータ、および、高解像度化した前記元画像を所定の単位領域毎に網点化する際に使用される閾値マトリクスを準備する工程と、プルーフ用の解像度に変換された前記元画像の画素が取り得る階調レベルのそれぞれについて、前記閾値マトリクスを用いて均一な階調レベルの前記単位領域の２値の平網画像を生成し、前記２値の平網画像を前記プルーフ用の解像度に合わせて実質的に低解像度化して多階調の平網画像をさらに生成することにより、２次元座標および階調レベルをパラメータとする３次元テーブルを生成する工程と、前記プルーフ用の解像度に変換された前記元画像の各単位領域において、各画素の２次元座標および階調レベルに基づいて前記３次元テーブルを参照することにより、多階調のプルーフ画像を生成する工程とを備える。
【００１２】
請求項６に記載の発明は、多階調の元画像を表現する網点画像のプルーフ画像をコンピュータに生成させるプログラムであって、前記プログラムのコンピュータによる実行は、前記コンピュータに、元画像のデータ、および、高解像度化した前記元画像を所定の単位領域毎に網点化する際に使用される閾値マトリクスを準備する工程と、プルーフ用の解像度に変換された前記元画像の画素が取り得る階調レベルのそれぞれについて、前記閾値マトリクスを用いて均一な階調レベルの前記単位領域の２値の平網画像を生成し、前記２値の平網画像を前記プルーフ用の解像度に合わせて実質的に低解像度化して多階調の平網画像をさらに生成することにより、２次元座標および階調レベルをパラメータとする３次元テーブルを生成する工程と、前記プルーフ用の解像度に変換された前記元画像の各単位領域において、各画素の２次元座標および階調レベルに基づいて前記３次元テーブルを参照することにより、多階調のプルーフ画像を生成する工程とを実行させる。
【発明の効果】
【００１３】
請求項１ないし６の発明では、高解像度の網点画像を生成することなく、プルーフ画像を容易に生成することができる。
【００１４】
また、請求項２の発明では、多階調の平網画像を適切にかつ効率よく生成することができる。
【００１５】
また、請求項３の発明では、エリアシングノイズを抑制することができる。
【００１６】
また、請求項４の発明では、プルーフ用印刷装置により印刷されたプルーフ画像を網点画像にさらに近似させることができる。
【発明を実施するための最良の形態】
【００１７】
図１は多階調の元画像を表現する網点画像の印刷物を作成する処理の概要を説明するための図である。網点画像の印刷物を作成する際には、まず、網点画像生成用の各種パラメータに基づいて多階調の元画像からプルーフ画像が生成されて校正用の印刷プルーフが印刷される。続いて、印刷プルーフに基づいて上記各種パラメータに適宜修正が加えられ、必要に応じて印刷プルーフが再度印刷される。その後、元画像から網点画像が生成され、網点画像の印刷物が作成される。以下、説明の便宜上、最初に網点画像を生成する処理の概要を説明し、続いて、プルーフ画像を生成する処理の詳細を説明する。
【００１８】
なお、以下の説明において、画像の解像度とは画素数を意味するものとし、高解像度化とは処理対象の画像の画素数を増加させることを意味し、低解像度化とは画像の画素数を減少させることを意味するものとする。また、印刷媒体上に印刷された画像やディスプレイに表示された画像等、顕在化された画像の粗密の度合い（例えば、ｄｐｉ（dot per inch)で表される。）については、記録解像度と表現する。
【００１９】
網点画像を生成する際には、図１中の実線の矢印９１１，９１２，９１３にて示すように、元画像がＣ（シアン）、Ｍ（マゼンタ）、Ｙ（イエロー）、Ｋ（ブラック）の色版毎に所定の手法にて解像度変換されて画素数が増加され（すなわち、高解像度化され）、生成すべき網点画像と同じ解像度を有する元画像が取得される。高解像度化したＣＭＹＫの各色版の元画像は、後述の閾値マトリクス（ＳＰＭ（Screen Pattern Memory）データとも呼ばれる。）と比較されることにより網点化されて各色版の網点画像が生成される。
【００２０】
図２は高解像度化した元画像７１を網点化する様子を説明するための図であり、画像７１の一部および閾値マトリクス８１を示している。図２に示すように高解像度化した元画像７１には、同一の大きさの多数の領域に分割した網点化の単位となる複数の網点化単位領域７１１が設定されている。ここで、複数の網点化単位領域７１１に対応して解像度変換前の元画像に複数の単位領域が設定されており、元画像が高解像度化されると元画像中の各単位領域に含まれる画素数も同様に増加されて単位領域が網点化単位領域７１１となる。また、閾値マトリクス８１は各網点化単位領域７１１に含まれる複数の画素にそれぞれ対応する複数の閾値を要素値として有するものであり、図２では各要素を画素と捉えて閾値マトリクス８１を図示している。
【００２１】
高解像度化した元画像７１の網点化の際には、概念的には元画像７１の各網点化単位領域７１１と閾値マトリクス８１とを重ね合わせ、網点化単位領域７１１の各画素の階調レベル（画素値）と閾値マトリクス８１の対応する要素値（閾値）とが比較されることにより、２値の網点画像におけるその画素の位置（座標）の階調レベルが決定される。したがって、仮に画像７１の階調レベルが一様である場合は、閾値マトリクス８１においてその階調レベルよりも小さな閾値が設定されている座標の画素には、例えば、階調レベル「１」が付与され、残りの画素には階調レベル「０」が付与されて巨視的には一様な網点が生成されることとなる。実際には高解像度化した元画像７１は濃淡（すなわち、様々な階調レベルの部位）を有するため、網点化単位領域７１１内において画像７１の濃淡に応じて網点の状態が変化する網点画像が生成されることとなる。なお、閾値マトリクス８１を使用して高解像度化した元画像７１を網点化単位領域７１１毎に網点化する処理は、元画像を網点面積率データに変換し、網点面積率の分布を満たす網点である２値のビットマップデータを生成する処理と実質的に同一である。
【００２２】
元画像から網点画像（例えば、ＣＭＹＫの４版の１bit-TIFF形式のデータで表される画像）が生成されると、画像記録装置においてＣＭＹＫの各色版の網点画像が１つの印刷媒体上に印刷されてカラーの網点画像の印刷物が作成される。なお、図２のように閾値マトリクス８１の各要素を画素と捉えた場合、閾値マトリクス８１を網点化単位領域７１１に対応して配列した閾値マトリクス８１の集合（以下、「元画像に対応する配列」という。）は生成すべき網点画像と同じ解像度といえる。
【００２３】
次に、プルーフ画像を生成する処理について述べる。網点画像を生成する前に校正用あるいは確認用のプルーフ画像を生成する際には、図１中の実線の矢印９１４，９１５，９１６，９１７にて示すように、閾値マトリクス８１を用いて所定のプルーフ用の解像度に合わせた複数の画像が生成されることにより後述の３次元のルックアップテーブル（以下、「３次元ＬＵＴ」という。）が生成され、また、ＣＭＹＫの各色版の元画像がプルーフ用の解像度に変換される。そして、変換後の元画像と３次元ＬＵＴとに基づいて４つの色版の多階調のプルーフ画像（各画像は８bit-TIFF形式であり、１つの３２bit-TIFF形式の画像データに相当する。）が生成され、印刷プルーフが作成される。以下、印刷プルーフを作成する手法について詳説する。
【００２４】
図３は印刷プルーフ作成システム１の構成を示す図である。印刷プルーフ作成システム１はコンピュータ１１および印刷プルーフ用の印刷装置（以下、「プリンタ」という。）１２を備え、インクジェット式のプリンタ１２はコンピュータ１１からの信号を受けて複数のノズルから微小液滴を印刷媒体に吐出して画像を記録する。なお、プリンタ１２は他の濃度階調方式（ここでは、インクジェット式も画素単位では濃度階調方式であるとみなしている。）の印刷装置であってもよい。
【００２５】
コンピュータ１１は、各種演算処理を行うＣＰＵ１０１、基本プログラムを記憶するＲＯＭ１０２および各種情報を記憶するＲＡＭ１０３をバスラインに接続した一般的なコンピュータシステムの構成となっている。バスラインにはさらに、情報記憶を行う固定ディスク１０４、各種情報の表示を行うディスプレイ１０５、操作者からの入力を受け付けるキーボード１０６ａおよびマウス１０６ｂ、光ディスク、磁気ディスク、光磁気ディスク等のコンピュータ読み取り可能な記録媒体９１から情報の読み取りを行う読取装置１０７、並びに、元画像生成用のコンピュータや網点画像記録用の装置等に接続された通信部１０８が、適宜、インターフェイス（Ｉ／Ｆ）を介する等して接続される。
【００２６】
コンピュータ１１には、事前に読取装置１０７を介して記録媒体９１からプログラム９２が読み出され、固定ディスク１０４に記憶される。そして、プログラム９２がＲＡＭ１０３にコピーされるとともにＣＰＵ１０１がＲＡＭ１０３内のプログラムに従って演算処理を実行することにより（すなわち、コンピュータがプログラムを実行することにより）、コンピュータ１１が多階調の元画像を表現する網点画像のプルーフ画像を生成するプルーフ画像生成装置としての動作を行う。
【００２７】
図４は、ＣＰＵ１０１がプログラム９２に従って動作することにより、ＣＰＵ１０１、ＲＯＭ１０２、ＲＡＭ１０３、固定ディスク１０４等が実現する機能構成を示すブロック図であり、図４において、演算部２０の各構成がＣＰＵ１０１等により実現される機能を示す。なお、演算部２０の機能は専用の電気的回路により実現されてもよく、部分的に電気的回路が用いられてもよい。
【００２８】
図５はコンピュータ１１がプルーフ画像を生成する処理の流れを示す図である。以下、図４を参照しつつＣＭＹＫの４つの色版のうちの１つの元画像から１つの色版のプルーフ画像が生成される処理について主に説明するが、他の色版のプルーフ画像も同様に生成される。また、以下の説明では、元画像は０〜２５５の２５６階調で表現されるものとするが、元画像の階調数はこれに限定されるものではない。
【００２９】
コンピュータ１１では、まず、元画像のデータ（以下、「元画像データ」という。）７および閾値マトリクス８１が、例えば、通信部１０８を介して他のコンピュータから取得され固定ディスク１０４に記憶されて準備される（ステップＳ１１）。また、生成されたプルーフ画像をプリンタ１２にて印刷する際のカラーマッチングに利用される後述の印刷条件データ９３がさらに取得され、固定ディスク１０４に記憶される。
【００３０】
続いて、閾値マトリクス８１は３次元ＬＵＴ生成部２１に出力され、閾値マトリクス８１を用いて元画像のプルーフ用の解像度に合わせた複数の画像が生成されることにより３次元ＬＵＴが生成される（ステップＳ１２）。ここで、プルーフ用の解像度は、網点画像の印刷物の作成に利用される画像記録装置の記録解像度とプリンタ１２の記録解像度との比に基づいて予め決定される。例えば、画像記録装置の記録解像度が２４００ｄｐｉであり、プリンタ１２の記録解像度が７２０ｄｐｉである場合には、プルーフ用の解像度は網点画像の解像度の（３／１０）倍として決定される。３次元ＬＵＴ生成部２１では、０〜２５５の階調レベルのそれぞれについて、閾値マトリクス８１を用いて均一な階調レベルを示す２値の平網画像が生成され、元画像のプルーフ用の解像度に合わせてこの平網画像が多階調の平網画像へと実質的に低解像度化される。そして、２５６個の多階調平網画像が階調レベル順に積層されることにより３次元ＬＵＴが生成される。
【００３１】
なお、以下の説明では２値の平網画像が低解像度化により行および列方向に整数個の画素が並ぶ画像に変換され、この画像が３次元ＬＵＴの１つの多階調平網画像として扱われるものとするが、低解像度化により２値の平網画像の行および列方向の画素数が整数個とはならない場合については別途説明する。
【００３２】
図６は３次元ＬＵＴ生成部２１にて生成される３次元ＬＵＴの１つの階層である多階調平網画像８４を示す図である。図６の多階調平網画像８４は階調レベル１２８についてのものであり、第１行から第６行までの６行、かつ、Ａ列からＦ列までの６列に配列される要素を有する。図６の多階調平網画像８４では、Ｄ列と第４行が交わる要素（以下、要素（Ｄ，４）と示す。）を中心としてＡ列もしくはＦ列、または、第１行もしくは第７行に近づくにつれて要素値（すなわち、画素値）が段階的に小さくなっており、２つの配列方向のいずれの方向について見ても要素値の分布が山形となる。このように、本実施の形態では、網点の１つのドットのみを示す画像の場合を含めて平網画像と呼んでいる。閾値マトリクス８１を用いて３次元ＬＵＴを生成する処理の詳細については、プルーフ画像生成処理の説明後に述べる。
【００３３】
３次元ＬＵＴが生成されると、固定ディスク１０４から元画像データ７がプルーフ画像生成部２２に出力され、元画像が所定の手法にて拡大されてプルーフ用の解像度に変換される（ステップＳ１３）。このとき、元画像に設定されている各単位領域もプルーフ用の解像度に変換される（以下、変換後の単位領域を「プルーフ用単位領域」という。）。なお、プルーフ用の解像度に変換された元画像も０〜２５５の２５６階調で表現されるものとする。
【００３４】
続いて、プルーフ画像生成部２２では変換後の元画像の各プルーフ用単位領域において、各画素の２次元座標および階調レベルに基づいて３次元ＬＵＴを参照することにより、多階調のプルーフ画像が生成される（ステップＳ１４）。例えば、図７に示す元画像のプルーフ用単位領域７１２において各画素を座標（アドレス）で特定する場合に、座標（Ａ，１）の画素の階調レベルが１２８であるとすると、３次元ＬＵＴにおいて図６の階調レベル１２８の多階調平網画像８４が選択されて要素（Ａ，１）の要素値０がプルーフ画像における対応する画素の階調レベルとされる。また、プルーフ用単位領域７１２における座標（Ｂ，３）の画素の階調レベルが１２８である場合には、多階調平網画像８４において要素（Ｂ，３）の要素値１９１がプルーフ画像における対応する画素の階調レベルとされる。同様に、プルーフ用単位領域７１２の他の画素の階調レベルが特定され、その階調レベルの多階調平網画像の同一座標の要素値がプルーフ画像の対応する画素の階調レベルとされる。
【００３５】
このように、プルーフ画像の各画素の階調レベルは、対応するプルーフ用単位領域７１２の画素の２次元座標に基づいて３次元ＬＵＴの１つの多階調平網画像から参照されて求められる。したがって、仮にプルーフ用単位領域７１２の画素の階調レベルが一様である場合には、前述のように３次元ＬＵＴの各多階調平網画像は中央に向かって値が段階的に大きくなるような（山形の）要素値の分布を有しているため（もちろん、このような要素値の分布には限定されない。）、生成されるプルーフ画像においてもプルーフ用単位領域７１２では階調レベルが山形の分布となる。実際には、プルーフ用単位領域７１２の画素の階調レベルは濃淡を有し、この濃淡が３次元ＬＵＴを介してプルーフ画像に反映されるため、最終印刷物である網点画像（図１参照）において網点化単位領域７１１の周期と元画像に含まれる周期性との干渉により発生するモアレ等を再現するプルーフ画像が生成されることとなる。また、３次元ＬＵＴからプルーフ用単位領域７１２の各画素の階調レベルに応じた多階調平網画像が選択されるため、元画像が有する色合いがプルーフ画像にて損なわれることもない。
【００３６】
ステップＳ１１〜Ｓ１４の処理を各色版について行うことにより、ＣＹＭＫのプルーフ画像が生成されると、プルーフ画像のデータはプルーフ画像補正部２３へと出力される。プルーフ画像補正部２３には固定ディスク１０４から印刷条件データ９３が入力され、印刷条件データ９３に基づいてプルーフ画像を補正する処理が行われる（ステップＳ１５）。
【００３７】
具体的には、印刷条件データ９３はプリンタ１２にて使用される印刷媒体やインクの種類等に応じてプルーフ画像の色を補正するための情報を示すものであり、プルーフ画像補正部２３ではＣＹＭＫの各色版のプルーフ画像に対してプリンタ１２に依存した色補正（いわゆる、カラーマッチング）が行われ、補正後のプルーフ画像は誤差拡散法による２値化処理が施されてプリンタ１２へと出力され、印刷プルーフが作成される。
【００３８】
このとき、プルーフ画像補正部２３によるカラーマッチングは各色版において画素の階調レベルを全体的にシフトさせることにより行われるため、プルーフ画像の階調レベルの分布を維持しつつプリンタ１２により印刷されたプルーフ画像を網点画像にさらに近似させることができる。なお、印刷条件データ９３は、例えば網点画像を印刷する際に利用される画像記録装置を基準とするカラーマッチングの情報であってもよい。
【００３９】
次に、３次元ＬＵＴを生成する処理（ステップＳ１２）の詳細について説明する。図８は、３次元ＬＵＴ生成部２１が３次元ＬＵＴを生成する処理の流れを示す図であり、図９は閾値マトリクス８１を示す図である。図９では要素値を階調レベルと捉えて図示しており、平行斜線の間隔の幅が狭いほど要素値が小さい。なお、実際には、図９に示すように複数の極大点および極小点を有する要素値の分布となる閾値マトリクスが用いられるが、本実施の形態では説明の簡略化のため、１つの極大点および極小点を有する要素値の分布（すなわち、図９における１つの網点ドットに対応する分布）を閾値マトリクス８１として説明を行う。
【００４０】
３次元ＬＵＴ生成部２１では、まず、プルーフ用の解像度に変換された元画像の画素が取り得る０〜２５５の階調レベルのそれぞれについて均一な階調レベルの網点化単位領域７１１が準備され、閾値マトリクス８１を用いて網点化単位領域７１１を網掛け処理して２値の平網画像が生成される（ステップＳ２１）。
【００４１】
例えば、階調レベル１２８の網点化単位領域７１１が準備された場合には、閾値マトリクス８１において１２８よりも小さな閾値が設定されている座標の画素には、例えば、階調レベル「１」が付与され、残りの画素には階調レベル「０」が付与され、図１０．Ａに示すように階調レベル１２８に関する２値の平網画像８２ａが生成される（但し、図１０．Ａでは図９の実際の閾値マトリクスに対応する平網画像を示している）。また、階調レベル０の画像が準備された場合には、全ての画素に階調レベル「０」が付与され、図１０．Ｂに示すように階調レベル０に関する２値の平網画像８２ｂが生成される。このようにして、２５６階調の階調レベルにそれぞれ関連付けられる２５６個の平網画像が生成される。図１０．Ｃないし図１０．Ｅはそれぞれ、階調レベル３２の平網画像８２ｃ、階調レベル２２３の平網画像８２ｄ、および、階調レベル２２５の平網画像８２ｅを示している。なお、必ずしも０〜２５５の階調レベルのそれぞれについて均一な階調レベルの網点化単位領域７１１が準備される必要はなく、閾値マトリクス８１が単一の閾値と比較されることにより２値の平網画像が生成されてもよい。
【００４２】
続いて、２値の平網画像を元画像のプルーフ用の解像度に合わせて実質的に低解像度化すべく、プルーフ用の解像度と最終印刷物である網点画像の解像度（閾値マトリクス８１の元画像に対応する配列の解像度）とに基づいてその解像度変換の倍率が求められる（ステップＳ２２）。ここでは、説明を簡素化するために、解像度変換の倍率が（１／２）として求められたものとする。なお、図８では倍率が（ｎ／ｍ）の場合を示している。続いて、解像度変換の倍率の分子の値１を倍率として各平網画像が拡大される（ステップＳ２３）。
【００４３】
図１１は階調レベル１２８に関する平網画像８２を示す図であり、第１行から第１２行までの１２行、かつ、Ａ列からＬ列までの１２列に配列される画素（要素）を示している。ここでは、解像度変換の倍率の分子の値が１であるため、図１１の平網画像８２がそのまま拡大後の平網画像８２として取り扱われる。なお、実際に平網画像８２が拡大される場合には、例えばバイキュービック法やバイリニア法等が利用される。
【００４４】
３次元ＬＵＴ生成部２１では、拡大前の平網画像８２の行数（列数）１２（図８におけるａに相当する。）と解像度変換の倍率の分母の値２との最大公約数２（図８におけるｂに相当する。）が算出される（ステップＳ２４）。続いて、解像度変換の倍率の分母の値２を最大公約数２で割って得た値１の個数ずつ拡大された平網画像８２（すなわち、図１１の平網画像８２）が各配列方向に配列されて新たな平網画像が生成される（ステップＳ２５）。ここでも、図１１の平網画像８２がそのまま新たな平網画像８２として取り扱われる。
【００４５】
そして、新たな平網画像８２から解像度変換の倍率の分母の値２を行数および列数とする２行２列の要素値が順次抽出され、これらの要素値の代表値を要素値として有する多階調の平網画像が生成される（ステップＳ２６）。例えば、図１１の新たな平網画像８２において（Ａ，１），（Ａ，２），（Ｂ，１），（Ｂ，２）（以下、（（Ａ，１）〜（Ｂ，２））と示す。）の要素値が抽出された場合には、これらの要素値の和０が代表値として求められ、（（Ａ，７）〜（Ｂ，８））の要素値が抽出された場合には、要素値の和３が代表値として求められる。
【００４６】
このようにして、図１１の平網画像８２に含まれる３６個の２行２列の要素値の代表値がそれぞれ取得され、図１２に示すように、３６個の代表値を要素値とする６行６列の多階調の平網画像８３が適切にかつ効率よく生成される。
【００４７】
０〜２５５の階調レベルにそれぞれ対応する２５６個の多階調の平網画像８３が生成されると、各平網画像８３において０〜２５５の階調レベル範囲に合わせて要素値が変更される。例えば、図１２の階調レベル１２８の平網画像８３の場合には、各要素値が４で除された後、２５５を乗じて得た値に変更され、図６に示すような多階調平網画像８４が生成される。そして、概念的には２５６個の多階調平網画像８４のそれぞれが関連付けられた階調レベルの順に積層され、２次元座標および階調レベルをパラメータとする３次元ＬＵＴが生成される（ステップＳ２７）。平網画像８３から多階調平網画像８４を生成する手法は要素値の分布が維持されるものであれば、いかなる手法が利用されてもよい。
【００４８】
なお、ステップＳ２５において解像度変換の倍率の分母の値を最大公約数で割って得た値が１となる場合は、２値の平網画像が低解像度化により行および列方向に整数個の画素が並ぶ画像に変換され、この画像がそのまま３次元ＬＵＴの１つの多階調平網画像として扱われることとなるが、解像度変換の倍率の分母の値を最大公約数で割った値が１とならない場合については後述する。
【００４９】
以上のように、コンピュータ１１により実現されるプルーフ画像生成装置では、元画像を網点化する際に使用される閾値マトリクス８１を用いて、複数階調レベルにそれぞれ対応する複数の２値の平網画像が生成され、各平網画像がプルーフ用の解像度に合わせて低解像度化されつつ多値化される。そして、複数の多階調の平網画像を積層して３次元ＬＵＴが生成され、元画像のプルーフ用単位領域の各画素において、その座標と階調レベルとに基づいて３次元ＬＵＴを参照することにより、プルーフ画像が生成される。これにより、図１において破線の矢印にて示す従来のプルーフ画像生成手法のように元画像を高解像度化して網点画像を生成し、所定の解像度まで低解像度化してプルーフ画像を生成する大量の処理（いわゆる、１ｂｉｔワークフロー）を行うことなく、プルーフ画像を容易かつ高速に生成することができる。その結果、印刷プルーフ作成システム１では、記録解像度が低い廉価なプリンタ１２が用いられる場合であっても、プリンタ１２に合わせた適切なプルーフ画像を生成し、網点画像の印刷物に近似した印刷プルーフを作成することができる。
【００５０】
次に、３次元ＬＵＴを生成する処理の他の例について説明する。図１３は他の例に係る３次元ＬＵＴ生成処理の流れを示す図であり、図８のステップＳ２１とステップＳ２２との間に行われる処理を示している。
【００５１】
他の例に係る３次元ＬＵＴ生成処理では、２値の平網画像が生成されると（ステップＳ２１）、３次元ＬＵＴ生成部２１により各平網画像に対して、連続する画素群における階調レベルの変化を示す波形の高周波成分を除去するローパスフィルタ処理が施される（ステップＳ３１）。そして、処理後の平網画像に対してステップＳ２２〜Ｓ２６の処理が施されて多階調の平網画像が生成される。
【００５２】
一般的に、図１の従来のプルーフ画像生成手法において、網点画像を低解像度化する際の解像度変換の倍率に起因して生じるエリアシングノイズ（すなわち、解像度変換をサンプリングとして捉えた場合におけるサンプリング周期に起因するノイズであり、プルーフ画像特有のモアレの原因となる。）を変換後に除去することは困難であり、また、エリアシングノイズを解像度変換の際に抑制するには複雑な演算が必要となり短時間で処理するには高価な装置が必要となる。しかしながら、他の例に係る３次元ＬＵＴ生成処理では、２値の平網画像に対して低解像度化する前に高周波成分を除去する処理を施すことにより、多階調の平網画像８３において生じるエリアシングノイズを容易に抑制することができる。
【００５３】
なお、必要に応じて、トーンカーブ補正が２値の平網画像に対して施されてもよい。また、ステップＳ３１では、ローパスフィルタ処理により多階調の平網画像が生成されることとなるが、ステップＳ２２〜Ｓ２６の処理は、多階調の平網画像に対しても同様に行うことができる。
【００５４】
プルーフ画像生成部２２では、プルーフ用の解像度に変換される前の元画像に対して、高周波成分を除去するフィルタ処理が必要に応じて施され、プルーフ画像に生じるエリアシングノイズが抑制されてもよい。さらに、プルーフ画像にトーンカーブ補正やフィルタ処理が施されて解像度変換の非線形性が補正されてもよい。
【００５５】
次に、図８のステップＳ２５において解像度変換の倍率の分母の値を最大公約数で割った値が１とならない場合について説明する。この場合、上記のａ行ａ列の２値の平網画像を（ｎ／ｍ）倍する処理において（ステップＳ２２〜Ｓ２６）、（ａ×ｎ／ｍ）の値が自然数にはならない。例えば、１０行１０列の２値の平網画像の解像度変換の倍率がプルーフ用の解像度に合わせて（２／３）倍として求められたとすると（図８：ステップＳ２２）、２値の平網画像は２倍に拡大され（ステップＳ２３）、図１４に示す２０行２０列に拡大された平網画像８２０ａが生成される。なお、図１４の平網画像８２０ａは元の平網画像の画素値（要素値）の分布が保たれたまま拡大されたものであり、図１４では破線にて円を描くことにより要素値の分布を示している。
【００５６】
続いて、元の平網画像の行数（列数）１０と解像度変換の倍率の分母の値３との最大公約数１が算出され（ステップＳ２４）、解像度変換の倍率の分母の値３を最大公約数１で割って得た値３の個数ずつ図１４の拡大された平網画像８２０ａが各配列方向に配列され、図１５に示すように６０行６０列の新たな平網画像８２０ｂが生成される（ステップＳ２５）。図１５の新たな平網画像８２０ｂでは、元の平網画像の要素値の分布が各配列方向に（３×３）個並んでいる。
【００５７】
そして、新たな平網画像８２０ｂから解像度変換の倍率の分母の値３を行数および列数とする３行３列の要素値が順次抽出され、これらの要素値の代表値を要素値として有する２０行２０列の多階調の平網画像８３０が図１６に示すように生成される（ステップＳ２６）。なお、図１６では比較対象として元の平網画像８２０を二点鎖線にて重ねて示している。
【００５８】
図１６に示す２０行２０列の多階調の平網画像８３０でも新たな平網画像８２０ｂと同様に元の平網画像８２０の要素値の分布が各配列方向に（３×３）個並ぶ。したがって、多階調の平網画像８３０において１つの要素値の分布（図１６中に破線にて示す矩形領域８２２内の分布）は、元の平網画像８２０の要素値の分布を（２／３）倍したものといえる。このようにして生成された複数の多階調の平網画像８３０が積層されることにより３次元ＬＵＴが生成される。
【００５９】
ここで、図１６の多階調の平網画像８３０に基づく３次元ＬＵＴを利用してプルーフ画像を作成する処理（図５：ステップＳ１４）について考えると、図１７に示すプルーフ用の解像度に変換された元画像７２の階調レベルが一様である場合には、元画像７２における（３×３）個のプルーフ用単位領域７２１に対して１つの多階調の平網画像８３０が重ね合わせられて画素値が置き換えられる。すなわち、（３×３）個のプルーフ用単位領域７２１は合わせて２０行２０列の画素を有し、各画素の２次元座標に基づいて３次元ＬＵＴを参照することにより多階調のプルーフ画像が生成される。実際には、元画像７２は濃淡を有するため各画素の階調レベルに応じて選択される多階調の平網画像８３０は異なるが、全ての平網画像８３０の要素の配列のサイズは同一であるため（３×３）個のプルーフ用単位領域７２１の各画素はいずれかの平網画像８３０の対応する要素値に置き換えられる。
【００６０】
このとき、多階調の平網画像８３０の１つの矩形領域８２２に対応する元画像７２中のプルーフ用単位領域７２１には、およそ６．７行６．７列に相当する画素群が含まれ、この画素群の元画像に対応する配列はプルーフ用の解像度（すなわち、プルーフ用の解像度に変換された元画像７２の画素数）に一致する。したがって、上記処理により１０行１０列の２値の平網画像８２０をプルーフ用の解像度に合わせて実質的に低解像度化した多階調の平網画像８３０が生成されたといえる。実際には、図１６の多階調の平網画像８３０において互いに隣接する２つの矩形領域８２２の境界上の要素値は、これらの矩形領域８２２の分布を反映した値となる。また、図１７の元画像７２において１つの多階調の平網画像８３０に対応する（３×３）個のプルーフ用単位領域７２１では、互いに隣接する２つのプルーフ用単位領域７２１間で画素が共有される。
【００６１】
上記の３次元ＬＵＴ生成部２１における処理（ステップＳ２２〜Ｓ２６）は、一般的には以下のように示すことができる。解像度変換の倍率が（ｎ／ｍ）倍（ｎ，ｍは互いに素な自然数、かつ、ｎ＜ｍ）として求められた場合には（ステップＳ２２）、ａ行ａ列（ａは２以上の整数）の２値の平網画像は（ｎ／ｍ）倍に低解像度化されることとなり、この作業のためには、まず、平網画像がｎ倍に拡大される（ステップＳ２３）。続いて、ａとｍとの間の最大公約数ｂが算出され（ステップＳ２４）、拡大された平網画像を各配列方向に（ｍ／ｂ）個ずつ配列し、要素値の環状性（周期性）が保存された新たな平網画像が生成される（ステップＳ２５）。そして、新たな平網画像からｍ行ｍ列の要素値の代表値を要素値として有する多階調の平網画像が生成される（ステップＳ２６）。ｍ行ｍ列の要素値の代表値は、必ずしも要素値の和である必要はなく、例えば、平均値等であってもよい。
【００６２】
また、以上の説明では、２値の平網画像が行方向および列方向に同じ倍率だけ低解像度化される例を示したが、２値の平網画像が行方向および列方向に互いに異なる倍率で低解像度化される際にも、上記手法を拡張して利用することができる。図８に準じて示すと、ａ行ａ列（ａは２以上の整数）の２値の平網画像の解像度変換の倍率が、行方向に（ｎ１／ｍ１）倍（ｎ１，ｍ１は互いに素な自然数、かつ、ｎ１＜ｍ１）、列方向に（ｎ２／ｍ２）倍（ｎ２，ｍ２は互いに素な自然数、かつ、ｎ２＜ｍ２）として求められた場合には（ステップＳ２２）、まず、２値の平網画像が行方向にｎ１倍、列方向にｎ２倍に拡大される（ステップＳ２３）。続いて、ａとｍ１との間の最大公約数ｂ１、および、ａとｍ２との間の最大公約数ｂ２がそれぞれ算出され（ステップＳ２４）、拡大された平網画像が行方向に（ｍ１／ｂ１）個、列方向に（ｍ２／ｂ２）個ずつ配列されて新たな平網画像が生成される（ステップＳ２５）。そして、新たな平網画像からｍ１行ｍ２列の要素値の代表値を要素値として有する多階調の平網画像が生成される（ステップＳ２６）。これにより、プリンタ１２の記録解像度が、画像の行方向および列方向にそれぞれ対応する２つの方向で異なる場合（例えば、１４４０［ｄｐｉ］×７２０［ｄｐｉ］）であっても、プリンタ１２の記録解像度に応じたプルーフ用の解像度に合わせて多階調の平網画像を生成することができ、その結果、プルーフ画像を適切に生成することが実現される。
【００６３】
次に、３次元ＬＵＴ生成部２１において２値の平網画像から多階調の平網画像を生成する処理（図８：ステップＳ２２〜Ｓ２６）の他の例について説明する。図１８は、２値の平網画像の１列の画素群８２１を示す図であり、図１８において平行斜線を付す画素の階調レベルが「０」であり、残りの画素の階調レベルが「１」である。
【００６４】
平網画像が例えば、（３／１０）倍に解像度変換される際には、まず、各画素に解像度変換の倍率の分子の値３の重みが与えられ、図１８中の左側の画素から数えて１番目、２番目および３番目の画素のそれぞれの階調レベルと重み３との積、並びに、４番目の画素の階調レベルと重み１との積を加算した値が、（０×３＋０×３＋０×３＋１×１＝１）として求められる。すなわち、重みの合計が解像度変換の倍率の分母と等しくなるまで、階調レベルと重みとの積を加算する。次に、４番目の画素の階調レベルと残りの重み２との積、５番目および６番目の画素のそれぞれの階調レベルと重み３との積、並びに、７番目の画素の階調レベルと重み２との積を加算した値が、（１×２＋１×３＋０×３＋０×２＝５）として求められる。上記演算により平網画像が行方向に対して（３／１０）倍にされると、次に同様の演算により列方向に対しても（３／１０）倍に変換される。なお、行または列の最後の演算において重みの合計ｋが１０に満たない場合は、階調レベルと重みとの積の合計が（１０／ｋ）倍される。以上の処理により、使用するメモリ容量を少なくしつつ平網画像を（３／１０）倍に解像度変換することができる。
【００６５】
一般的には、上記手法は平網画像を（ｎ／ｍ）倍に解像度変換する場合に、全ての画素にｎの重みを与える処理、および、重みの合計がｍとなるまで画素の階調レベルと重みとの積を加算する処理とから成るといえる。なお、（ｋ＝ｍ）となる場合のこれらの処理は、ステップＳ２５の処理において（ｍ／ｂ）が１の場合における平網画像をｎ倍に拡大する処理（ステップＳ２３）、および、新たな平網画像からｍ行ｍ列の要素値の代表値を要素値として有する多階調の平網画像を生成する処理（ステップＳ２６）と等価であるといえる。もちろん、上記手法においても行方向と列方向とで解像度変換の倍率が異なっていてもよい。
【００６６】
また、ａ行ａ列の平網画像をｎ倍に拡大し、さらに行および列方向に（ｍ／ｂ）個ずつ配列した新たな平網画像における特定の座標の画素の値は、ｎ倍に拡大した後の平網画像において、この特定の座標の座標値を（ｎ×ａ）で割った剰余を座標とする画素の値に等しいことから、実際には、行および列方向に（ｍ／ｂ）個ずつ配列した新たな平網画像を生成しなくてもこの新たな平網画像に対する演算と等価な演算を実現することができる。これにより、使用するメモリ容量を少なくして多階調の平網画像を生成することが可能となる。
【００６７】
以上、本発明の実施の形態について説明してきたが、本発明は上記実施の形態に限定されるものではなく、様々な変形が可能である。
【００６８】
上記実施の形態では、実際の閾値マトリクス（図９参照）とは異なり、１つの極大点および極小点を有する要素値の分布（すなわち、１つの網点ドットに対応する分布）となるものを閾値マトリクス８１として説明を行ったが、もちろん、複数の極大点および極小点を有する要素値の分布（すなわち、複数の網点ドットに対応する分布）となる閾値マトリクスに基づいて３次元ＬＵＴが生成されてもよい。
【００６９】
上記実施の形態では、元画像が高解像度化されてプルーフ用の解像度に変換された元画像が取得されるが、元画像の解像度がプルーフ用の解像度より高い場合には、ステップＳ１３では元画像の低解像度化が行われ、元画像の解像度とプルーフ用の解像度とが同じである場合には、ステップＳ１３の処理は省略される。
【００７０】
プルーフ用の解像度に変換された元画像の画素が取り得る階調レベルは、必ずしも変換前の元画像が取り得る階調レベルと一致する必要はなく、ステップＳ１３において階調数を増加（または、減少）しつつ元画像が低解像度化されてもよい。この場合でも、ステップＳ２１では変換後の元画像の画素が取り得る階調レベルにそれぞれ対応する複数の２値の平網画像が生成される。
【００７１】
３次元ＬＵＴ生成部２１では、必ずしもプルーフ用の解像度に変換された元画像の画素が取り得る全ての階調レベルにそれぞれ対応する複数の２値の平網画像が生成される必要はなく、実用上問題が生じない範囲内で３次元ＬＵＴの一部の階調レベルの多階調平網画像が間引かれてもよい。
【００７２】
また、生成された１つの２値の平網画像を行方向または列方向のうち、少なくともどちらか一方向に複数並べることにより複数の多階調平網画像を含む画像が階調レベル毎に生成され、これらの画像に基づく３次元ＬＵＴを用いてプルーフ画像が生成されてもよい。
【００７３】
閾値マトリクスは、所定の関数に従って元画像に応じて、さらには色版毎に生成されるものであってもよい。また、元画像に設定される単位領域は生成される閾値マトリクスに応じて適宜変更される。
【００７４】
コンピュータ１１では、必要に応じてプルーフ画像をディスプレイ１０５に表示させ、表示された画像が印刷プルーフとして取り扱われてもよい。
【図面の簡単な説明】
【００７５】
【図１】網点画像の印刷物および印刷プルーフを作成する処理の概要を説明するための図である。
【図２】高解像度化した元画像を網点化する様子を説明するための図である。
【図３】印刷プルーフ作成システムの構成を示す図である。
【図４】プルーフ画像生成装置の機能構成を示すブロック図である。
【図５】プルーフ画像を生成する処理の流れを示す図である。
【図６】３次元ＬＵＴの多階調平網画像の一例を示す図である。
【図７】元画像のプルーフ用単位領域を示す図である。
【図８】３次元ＬＵＴを生成する処理の流れを示す図である。
【図９】閾値マトリクスを示す図である。
【図１０．Ａ】階調レベル１２８に関する２値の平網画像を示す図である。
【図１０．Ｂ】階調レベル０に関する２値の平網画像を示す図である。
【図１０．Ｃ】階調レベル３２に関する２値の平網画像を示す図である。
【図１０．Ｄ】階調レベル２２３に関する２値の平網画像を示す図である。
【図１０．Ｅ】階調レベル２２５に関する２値の平網画像を示す図である。
【図１１】２値の平網画像を示す図である。
【図１２】多階調の平網画像を示す図である。
【図１３】３次元ＬＵＴを生成する処理の流れを示す図である。
【図１４】拡大された平網画像を示す図である。
【図１５】新たな平網画像を示す図である。
【図１６】多階調の平網画像を示す図である。
【図１７】多階調の平網画像とプルーフ用単位領域との関係を説明するための図である。
【図１８】多階調の平網画像を生成する処理の他の例を説明するための図である。
【符号の説明】
【００７６】
７    元画像データ
１１    コンピュータ
１２    プリンタ
２１    ３次元ＬＵＴ生成部
２２    プルーフ画像生成部
２３    プルーフ画像補正部
７１，７２    元画像
８１    閾値マトリクス
８２，８２ａ〜８２ｅ，８３，８２０，８２０ａ，８２０ｂ，８３０    平網画像
８４    多階調平網画像
９２    プログラム
１０４    固定ディスク
７１１    網点化単位領域
７１２，７２１    プルーフ用単位領域
Ｓ１１，Ｓ１２，Ｓ１４    ステップ
【図１】
2005223463.tif 000003
【図２】
2005223463.tif 000004
【図３】
2005223463.tif 000005
【図４】
2005223463.tif 000006
【図５】
2005223463.tif 000007
【図６】
2005223463.tif 000008
【図７】
2005223463.tif 000009
【図８】
2005223463.tif 000010
【図９】
2005223463.tif 000011
【図１０．Ａ】
2005223463.tif 000012
【図１０．Ｂ】
2005223463.tif 000013
【図１０．Ｃ】
2005223463.tif 000014
【図１０．Ｄ】
2005223463.tif 000015
【図１０．Ｅ】
2005223463.tif 000016
【図１１】
2005223463.tif 000017
【図１２】
2005223463.tif 000018
【図１３】
2005223463.tif 000019
【図１４】
2005223463.tif 000020
【図１５】
2005223463.tif 000021
【図１６】
2005223463.tif 000022
【図１７】
2005223463.tif 000023
【図１８】
2005223463.tif 000024